(57)【要約】      （修正有）【課題】スマートフォン等の携帯型情報端末の持ち運びに好適に用いることができる小物入れであって、情報端末を収納した状態で視認及び操作可能であり、かつ、情報端末のタッチパネル部を損傷及び汚れから保護することができる小物入れを提供する。【解決手段】小物入れ本体１１と、小物入れ本体に設けられて、タッチパネルを搭載した携帯型情報端末を収納可能なポケット１２と、を有する小物入れ１０であって、ポケットは、携帯型情報端末のタッチパネルを覆う透明シート部１３を含み、透明シート部は、ポケットに収納された携帯型情報端末のタッチパネルに密着・固定し、携帯型情報端末がポケットに収納された状態において、透明シート部越しにタッチパネルの操作が可能であること、を特徴とする小物入れ。【選択図】図１
0003198812.tif 000002
【実用新案登録請求の範囲】
【請求項１】
小物入れ本体と、
前記小物入れ本体に設けられて、タッチパネルを搭載した携帯型情報端末を収納可能なポケットと、
を有する小物入れであって、
前記ポケットは、前記携帯型情報端末の前記タッチパネルを覆う透明シート部を含み、
前記透明シート部は、前記ポケットに収納された前記携帯型情報端末の前記タッチパネルに密着して前記携帯型情報端末を固定可能であり、
前記携帯型情報端末が前記ポケットに収納された状態において、前記透明シート部越しに前記タッチパネルの操作が可能であること、
を特徴とする小物入れ。
【請求項２】
前記携帯型情報端末は、前記タッチパネルとは反対側の面に撮像部を備え、
前記小物入れ本体は、前記ポケットに収納された前記携帯型情報端末の前記撮像部を露出させる窓部を有すること、
を特徴とする請求項１に記載の小物入れ。
【請求項３】
前記小物入れ本体は、前記ポケットが内側に配置されるように折り畳むことが可能であること、
を特徴とする請求項１又は２に記載の小物入れ。
【請求項４】
前記小物入れ本体は、前記小物入れ本体が折り畳まれた状態を維持するためのファスナを備えること、
を特徴とする請求項３に記載の小物入れ。
【考案の詳細な説明】
【技術分野】
【０００１】
本考案は、小物入れに関し、特に、スマートフォン等の携帯型情報端末の持ち運びに好適に用いることができる小物入れに関する。
【背景技術】
【０００２】
携帯電話及びＰＤＡ等の情報端末は携帯性の向上を目的として小型化が進んでいるが、衣服のポケット等に収納して携帯するのが困難な場合が存在する。特に、衣服に十分な大きさのポケット等が備わっていない場合、ポーチやポシェット等の小物入れに入れて持ち運びするのが一般的である。
【０００３】
しかしながら、小物入れに収納した状態では情報端末を視認及び操作することが困難であり、必要に応じて当該情報端末をポーチ等から取り出す必要がある。近年では、タッチパネルを備え、タッチパネルディスプレイに種々の情報を表示できる高機能なスマートフォンが普及しているが、小物入れに収納された状態ではスマートフォンの機能を十分に発揮させることができない。
【０００４】
これに対し、特許文献１（特開平８−２１４９２８号公報）では、携帯電話を収納して持ち運ぶセカンドバッグの底面もしくは側面に、携帯電話を入れるポケットを設け、ポケットの一部をセカンドバッグの外部に開口した携帯電話持ち運び用のセカンドバッグが提案されている。
【０００５】
また、特許文献２（特開２０１２−４３３６９号公報）では、表示面上にタッチパネルが配置されたタッチパネル付き表示装置を収納する本体と、透過性を有して前記本体を構成し、前記本体の外側からの前記タッチパネルに対する操作を可能に前記タッチパネルに対して積層されるタッチパネル保護壁部と、を備える表示装置用カバーが提案されている。
【先行技術文献】
【特許文献】
【０００６】
【特許文献１】特開平８−２１４９２８号公報
【特許文献２】特開２０１２−４３３６９号公報
【考案の概要】
【考案が解決しようとする課題】
【０００７】
しかしながら、上記特許文献１において提案されている携帯電話持ち運び用のセカンドバッグはプッシュボタン式の携帯電話を想定して発明されたものであり、タッチパネルを備えた情報端末に用いることは困難である。つまり、タッチパネルはプッシュボタン式の操作部と比較して非常に繊細であり、擦り傷等の損傷が生じやすい。また、汚れの付着に対しても十分に注意する必要がある。
【０００８】
また、上記特許文献２において提案されている表示装置用カバーはタッチパネルを有する各種情報端末に適用可能であるが、大きな箱のような嵩張る形状を有しており、情報端末の携帯性を向上させるものではない。
【０００９】
そこで、本考案は、スマートフォン等の携帯型情報端末の持ち運びに好適に用いることができる小物入れであって、情報端末を収納した状態で視認及び操作可能であり、かつ、情報端末のタッチパネル部を損傷及び汚れから保護することができる小物入れの提供を目的とする。
【課題を解決するための手段】
【００１０】
上述した課題を解決すべく、本考案は、小物入れ本体と、前記小物入れ本体に設けられて、タッチパネルを搭載した携帯型情報端末を収納可能なポケットと、を有する小物入れであって、前記ポケットは、前記携帯型情報端末の前記タッチパネルを覆う透明シート部を含み、前記透明シート部は、前記ポケットに収納された前記携帯型情報端末の前記タッチパネルに密着して前記携帯型情報端末を固定可能であり、前記携帯型情報端末が前記ポケットに収納された状態において、前記透明シート部越しに前記タッチパネルの操作が可能であること、を特徴とする小物入れを提供する。
【００１１】
上記のような構成を有する本考案の小物入れでは、前記携帯型情報端末は、前記タッチパネルとは反対側の面に撮像部を備え、前記小物入れ本体は、前記ポケットに収納された前記携帯型情報端末の前記撮像部を露出させる窓部を有すること、が好ましい。
【００１２】
また、上記のような構成を有する本考案の小物入れでは、前記携帯型情報端末がスマートフォンであること、が好ましい。
【００１３】
更に、上記のような構成を有する本考案の小物入れでは、前記ポケットの寸法が前記携帯型情報端末の寸法と略同一であること、が好ましい。
【００１４】
また、上記のような構成を有する本考案の小物入れでは、前記小物入れ本体は、前記ポケットが内側に配置されるように折り畳むことが可能であること、が好ましい。
【００１５】
また、上記のような構成を有する本考案の小物入れでは、前記小物入れ本体は、前記小物入れ本体が折り畳まれた状態を維持するためのファスナを備えること、が好ましい。
【考案の効果】
【００１６】
上記本考案の小物入れを用いることにより、当該小物入れにスマートフォン等の携帯型情報端末を収納した状態で、透明シート部越しに当該携帯型情報端末のタッチパネルを視認及び操作することができる。加えて、タッチパネルは小物入れによって損傷及び汚れから保護される。
【００１７】
したがって、例えば、ＯＬがランチタイムにスマートフォン及び金銭を持って出かける場合や、旅行者がスマートフォン、金銭及びパスポートを持って出かける場合に、好適に使用することができる。
【図面の簡単な説明】
【００１８】
【図１】本考案の実施形態に係る小物入れの展開状態における内側面を示す図である。
【図２】本考案の実施形態に係る小物入れの展開状態における外側面を示す図である。
【図３】本考案の実施形態に係る小物入れの折畳み状態における正面図である。
【図４】本考案の実施形態に係る小物入れにスマートフォンが挿入される様子を示す図である。
【図５】本考案の実施形態に係る小物入れにスマートフォン（携帯型情報端末）が収納された状態を示す図である。
【図６】本考案の実施形態に係る小物入れにスマートフォン（携帯型情報端末）が収納された状態でポケット側が折り畳まれた様子を示す図である。
【考案を実施するための形態】
【００１９】
以下、本考案の代表的な実施形態に係る小物入れについて、図面を参照しつつ詳細に説明する。ここでは、小物入れに収納される携帯型情報端末の好適な例としてスマートフォンが用いられるが、小物入れを用いることができる携帯型情報端末は特に限定されず、種々の小型情報端末を対象とすることができることはいうまでもない。なお、図面は、本考案を概念的に説明するためのものであるから、理解容易のために、必要に応じて寸法、比又は数を誇張又は簡略化して表している場合もある。
【００２０】
図１及び図２に、本考案の実施形態に係る小物入れを展開した状態を示し、図３に、この小物入れを折り畳んだ状態を示す。また、図４には、小物入れにスマートフォンが挿入される様子を、図５及び図６には、小物入れにスマートフォンが収納された状態の例を、それぞれ示す。小物入れ１０は例えばポシェットであり、添付図面に示されるように、本体１１と、ポケット１２と、肩紐取付け部１７，１８と、を備えている。
【００２１】
本体１１は、スマートフォンや携帯型情報端末を含む物を収容するものであって、薄いシート状でかつ矩形形状を呈し、外周が縁取りされている。本実施形態において、本体１１は、一点鎖線Ｌ１，Ｌ２に沿って折り畳むことが可能であり、折り畳まれた状態が図３に示されている。本体１１はまた、ポケット１２（又は透明シート１３）が内側に配置されるように折り畳まれる。折り畳まれた状態でも薄い形態を有している。また、本体１１には、図６に示されるように、折り畳まれた状態において対向する位置に面ファスナ１５，１６を有している。なお、本体１１は、例えば金銭や通学・通勤定期券のための収納部（図示せず）を備えていてもよい。
【００２２】
本体１１には、ポケット１２が設けられている。ポケット１２には、例えばスマートフォンのような、タッチパネル２１を搭載した携帯型情報端末２０を収納することが可能である。ポケット１２の大きさ（寸法）は、目的とする携帯型情報端末２０を収納できれば特に限定されないが、携帯型情報端末２０がポケット１２内で大きく移動しないように、例えば図５に示されるように、携帯型情報端末２０の大きさ（寸法）と略同一であることが好ましい。
【００２３】
ポケット１２は、本実施形態では、ポケット１２と略同一の寸法の透明シート１３が本体１１の外周に沿って縫合されることで形成されている。したがって、ポケット１２は、一点鎖線Ｌ１に向かって開口している。このようにして形成されたポケット１２の開口から、携帯型情報端末２０が出し入れされる（図４参照）。
【００２４】
透明シート１３は、ポケット１２に収納された携帯型情報端末２０のタッチパネル２１を覆う、シート状の透明な部材である。したがって、携帯型情報端末２０がポケット１２に収納された状態において、透明シート１３越しにタッチパネル２１の操作が可能である。また、透明シート１３は、携帯型情報端末２０がポケット１２に収納されると、タッチパネル２１に密着し、携帯型情報端末２０が固定される。したがって、携帯型情報端末２０がポケット１２内で移動することが抑制されるため、携帯型情報端末２０のタッチパネル画面の視認性及び操作性が向上する。したがって、透明シート１３の面積は携帯型情報端末２０のタッチパネル２１の面積より大きくてもよい。
【００２５】
透明シート１３には、透明シート１３に密着しつつ、透明シート１３越しに携帯型情報端末２０のタッチパネル操作を円滑に行うことができる透明性を有する材料が用いられ、例えば、ＰＥＴ（ポリエチレンテレフタレート）、ポリ塩化ビニル等の透明性を有する軟質合成樹脂を用いることができるが、より確実に密着・固定の作用効果を奏するためにポリ塩化ビニルを用いることが好ましい。
【００２６】
本体１１の説明に戻ると、本体１１には窓１４が設けられている。スマートフォンなどの携帯型情報端末には、カメラ（撮像素子）を備えた機種が普及しているところ、かかるカメラは、タッチパネルとは反対側の面に設けられていることが多い。窓１４は、収納状態において携帯型情報端末２０のカメラ２２を露出させるべく設けられる。したがって、窓１４は、図６に示すように、携帯型情報端末２０のカメラ２２に対応する位置に形成されている。なお、本実施形態において、窓１４は開口であるが、例えば切欠きなどでもよい。また、窓１４は、カメラ２２を露出できる限り、矩形、円形、角形などの任意の形状を取り得る。
【００２７】
なお、スマートフォンのカメラの位置は、機種によって異なることがある。本実施形態では、カメラ２２は、図６のようにスマートフォンの左上に位置しているが、機種によっては、例えばスマートフォンの上方の幅方向中央に位置することもある。したがって、対応する機種に応じて窓１４の位置を変えてもよいし、様々な機種に対応できるように大きな窓１４を設けてもよい。
【００２８】
また、上述した肩紐取付け部１７，１８は、肩紐（図示せず）を取り付けるための部材である。肩紐取付け部１７，１８に肩紐（図示せず）を取り付けることで、小物入れ１０を肩に掛けることができる。
【００２９】
このような小物入れ１０を使用する際には、まず本体１１を図１のように展開し、図４のようにポケット１２の開口からスマートフォン２０を挿入する。その際、スマートフォン２０のタッチパネル２１がポケット１２の透明シート１３に対向するように、スマートフォン２０を収納する。そうすると、図５のように小物入れ１０の透明シート１３がスマートフォン２０のタッチパネル２１に密着し、スマートフォン２０のポケット１２内での移動が抑制されるため、スマートフォン２０のタッチパネル画面を視認しやすくなるとともにタッチパネル２１を操作しやすくなる。また、透明シート１３によって、スマートフォン２０の画面が傷や汚れから保護される。
【００３０】
また、スマートフォン２０のカメラ２２が本体１１の窓１４から露出するようにスマートフォン２０をポケット１２に収納することで（図６参照）、スマートフォン２０をポケット１２内に収納した状態で、カメラ２２で撮像することが可能となる。
【００３１】
このようにして収納されたスマートフォン２０を使用する時には、本体１１を図５のように開いた状態で、透明シート１３越しにスマートフォン２０のタッチパネル２１を操作することができる。また、スマートフォン２０を携行する時には、本体１１をまず、ポケット１２ないし透明シート１３が内側を向くように一点鎖線Ｌ１に沿って折り畳み（図６参照）、次いで仮想線Ｌ２に沿って折り畳む。そして、面ファスナ１５，１６同士を接触させた互いに係止することで、本体１１は図２のような折畳み状態を保持する。
【００３２】
このような実施形態によれば、携帯型情報端末２０の携帯のために小物入れ１０を用いることで、小物入れ１０に携帯型情報端末２０を収納した状態で携帯型情報端末２０のタッチパネル２２を視認及び操作することができるだけでなく、タッチパネル２２は透明シート１３によって損傷や汚れから保護される。
【００３３】
また、携帯型情報端末２０としてスマートフォンを用いた場合、透明シート１３を介しても十分に音声等を伝達することが可能であり、スマートフォンを小物入れ１０に収納した状態で通話をすることができる。通話をより確実にするべく、透明シート１３においてスマートフォンのマイクロフォンに対応する位置に、多数の孔を設けてもよい。
【００３４】
上述のとおり、小物入れ１０は種々の携帯型情報端末２０を携帯するために好適に用いることが可能であるが、携帯型情報端末２０以外の物も収納できることは言及するまでもない。
【００３５】
また、肩紐取付け部１７，１８は必ずしも設ける必要はないが、小物入れ１０の携帯性を向上させる観点からは、設ける方が好ましい。また、肩紐取付け部１７，１８に取り付けられる肩紐の形状及び長さ等は特に限定されず、小物入れ１０を手で把持するために短い肩紐でもよいし、あるいは、小物入れ１０を肩に掛けるために長めの肩紐でもよいが、肩紐が長さを調節できる機構を有していることが好ましい。
【００３６】
以上、本考案の代表的な実施形態について説明したが、本考案はこれらのみに限定されるものではなく、種々の設計変更が可能である。１つの小物入れ１０に対してポケットは１つとは限らず、２つ以上のポケットを設けてもよい。また、本体１１の折畳み状態を保持するためのファスナは、面ファスナのほかに、ボタンやバンドなどでもよい。
【符号の説明】
【００３７】
１０・・・小物入れ、
１１・・・本体、
１２・・・ポケット、
１３・・・透明シート、
１４・・・窓
１５、１６・・・面ファスナ。
【図１】
0003198812.tif 000003
【図２】
0003198812.tif 000004
【図３】
0003198812.tif 000005
【図４】
0003198812.tif 000006
【図５】
0003198812.tif 000007
【図６】
0003198812.tif 000008